(57)【要約】  ビデオ情報を具える多層記録担体を別の多層記録担体に複写する場合、ソース記録担体の２つの記録層に記録されたデータをターゲット記録担体の２つの層に記録する必要がある。ターゲット記録担体に対する適切な層移行を決定したら、第１層の論理アドレス空間をソース記録担体の第１層から得られたビデオ情報に正確にフィットするように制限することによって第１層のサイズを調整する。論理アドレス空間が調整されたら、記録中に層移行がビデオ情報の正しい位置で自動的に生ずる。
2007507824.tif 000002
【特許請求の範囲】
【請求項１】
入力端に供給された情報を第１層と第２層と層移行点とを有する多層記録担体に記録する装置であって、多層記録担体の第１層と第２層にビデオ情報を書き込む書込み手段と、前記入力端と前記書込み手段に結合された処理手段とを具える記録装置において、
前記処理手段が、入力ストリームから層移行点を決定し、決定された層移行点に基づいて前記第１層の最大論理アドレス空間を調整するように動作することを特徴とする記録装置。
【請求項２】
前記第１層の調整された最大論理アドレスが前記決定された層移行点と一致することを特徴とする請求項１記載の記録装置。
【請求項３】
ソース多層記録担体をターゲット多層記録担体に複写する方法において、
・ソース多層記録担体の第１層からビデオ情報を読み出すステップと、
・ソース多層記録担体の第２層からビデオ情報を読み出すステップと、
・第１層と第２層から読み出した情報を記録装置に転送するステップと、
・層移行点の論理アドレスを決定するステップと、
・決定された前記層移行点の論理アドレスに基づいて前記ターゲッ多層記録担体の前記第１層の最大論理アドレスを調整するステップと、
・前記記録装置に転送されたビデオ情報を前記ターゲット多層記録担体に記録するステップと、
を具えることを特徴とする複写方法。
【請求項４】
前記層移行点の論理アドレスを決定するステップは、
前記転送されたビデオ情報を処理して層移行点のための要件に適合する層移行点の論理アドレスを決定するステップを具えることを特徴とする請求項３記載の複写方法。
【請求項５】
前記層移行点の論理アドレスを決定するステップは、
前記ソース多層記録担体から層移行点を読み出すステップと、
前記層移行点を記録装置に転送するステップと、
前記転送された層移行点から層移行点の論理アドレスを決定するステップと、
を具えることを特徴とする請求項３記載の複写方法。
【請求項６】
前記ターゲット多層記録担体の第１層の最大論理アドレスを調整するステップを前記記録装置に転送されたビデオ情報の記録中に実行することを特徴とする請求項３−５の何れかに記載の複写方法。
【請求項７】
前記ターゲット多層記録担体の第１層の最大論理アドレスを調整するステップを前記記録装置に転送されたビデオ情報の第１層への記録後に実行し、層移行位置をコマンドから決定することを特徴とする請求項３−５の何れかに記載の複写方法。
【発明の詳細な説明】
【技術分野】
【０００１】
本発明は、入力端に供給された情報を第１層、第２層及び層移行点を有する多層記録担体に記録する装置であって、多層記録担体の第１層と第２層に情報を書き込む書込み手段と、前記入力端と前記書込み手段に結合された処理手段とを具える記録装置と、ソース多層記録担体をターゲット多層記録担体に複写する方法とに関するものである。
【背景技術】
【０００２】
このような方法はパーソナルコンピュータに使用可能な現在のＤＶＤコピープログラムから既知である。
【０００３】
ＤＶＤリーダはソース多層記録担体からビデオ情報を読み出し、ビデオ情報を処理し、処理したビデオ情報を記録担体に記録するためにＤＶＤレコーダに供給する。
【０００４】
デュアルレイヤフォーマットのＤＶＤ−ＲＯＭ記録担体が入手できるため、このタイプの記録担体の現在の記録可能ＤＶＤ記録担体への複写は、現在の記録可能ＤＶＤ記録担体は単層であり２層ＤＶＤ−ＲＯＭ記録担体の記録容量の約半分を有するのみであるために問題がある。
【０００５】
２層ＤＶＤ−ＲＯＭ記録担体からのビデオデータを単層記録可能ＤＶＤ記録担体に収めるためには、ビデオ情報を圧縮する必要があり、画質の低下を生ずる。
【０００６】
このため、２層記録可能ＤＶＤ記録担体が開発された。２層記録可能ＤＶＤ記録担体は２層ＤＶＤ−ＲＯＭ記録担体のビデオ情報を圧縮しないで保持するのに十分な記憶容量を有するために、２層ＤＶＤ−ＲＯＭ記録担体の複写を圧縮による画質の低下を生ずることなく可能とする。
【０００７】
しかし、記録装置は、ビデオ情報の受信時に問題に直面する。
今やＤＶＤ記録可能記録担体は２つの記録層を具えているので、圧縮はもはや必要ないが、ビデオ情報を含むＤＶＤ記録担体に適用されるＤＶＤ標準規格内で、ビデオ情報をターゲット記録担体の２つの層に適正に記録するために層移行点を決定する必要がある。
【０００８】
レコーダはビデオ情報を受信し、ビデオ情報を処理してＤＶＤビデオ標準規格の要件を満足する層移行のための適切な点、即ち層移行がノンシームレスに且つセル境界で起こる層移行点を決定することができる。レコーダはビデオ情報をこれらの条件が起こる位置についてスキャンし、記録担体の第１層の残りの容量、ビデオ情報に必要とされる残りの容量及び第２層の残りの容量が所与の場合に、この位置が適切な位置であるか考察することができる。
【０００９】
この方法の欠点はレコーダでビデオデータを集中的に処理する必要があり、記録処理に必要とされる通常の処理の力を大きく超える処理能力を必要とすることにある。
【発明の開示】
【発明が解決しようとする課題】
【００１０】
本発明の目的は、この欠点を解消し、レコーダのために、所要の処理能力を殆ど損なうことなく層移行点の適切な位置を決定する方法を提供することにある。
【課題を解決するための手段】
【００１１】
この目的を達成するために、本発明の方法は、
・ソース多層記録担体の第１層から情報を読み出すステップと、
・ソース多層記録担体の第２層から情報を読み出すステップと、
・ソース多層記録担体から層移行点を取り出すステップと、
・第１層と第２層から読み出した情報を記録装置に転送するステップと、
・層移行位置を記録装置に転送するステップと、
・転送された層移行位置に基づいてターゲット記録担体の第１層の最大使用可能サイズを調整するステップと、
・記録装置に転送されたビデオ情報をターゲット多層記録担体に記録するステップと、
を具えることを特徴とする。
【００１２】
ソース多層記録担体から層移行位置を転送することによってビデオ情報のスキャンが回避され、層移行点を決定するのに必要とされる処理能力を大きく低減することができる。このように、ソース多層記録担体のオーサリングフェーズに実行される処理をレコーダで出発点として利用する。層移行を得るために、レコーダは決定された層移行点に基づいて第１層の使用可能サイズを減少させ、その結果としてビデオ情報の記録中にビデオ情報の記録がターゲット多層記録担体の第１層の使用可能空間をはみ出すときに自動的層移行が強制されるようにする。
【００１３】
ソース多層記録担体を複写する方法の一実施例では、第１層の使用可能サイズを転送された層移行位置の論理アドレスに調整するステップを具えることを特徴とする。第１層の使用可能サイズを転送された層移行位置の論理アドレスに調整する、即ち減少させることによって、ソース多層記録担体上の層移行に一致する層移行がターゲット多層記録担体において強制される。
【００１４】
従って、ソース多層記録担体からのビデオ情報の記録中、ソース記録担体の第１層からのビデオ情報をターゲット記録担体の第１層に記録し終わるときにレコーダは第1層上の使用可能な論理アドレス空間の終点に到達する。このときターゲット記録担体の第１層上の使用可能空間は完全にビデオ情報で満たされるため、レコーダは第２層への層移行を実行する。従って、ソース記録担体からのビデオ情報は第1層上の調整使用可能セクションに正確に収まり、層移行はソース記録担体上と同一のビデオ情報内位置に正確に位置するため、ソース記録担体の慎重に選ばれた層移行点の位置がターゲット記録担体上に維持される。
【００１５】
ソース多層記録担体を複写する方法の他の実施例では、第1層の使用可能サイズを調整するステップは記録装置に転送されるビデオ情報の記録中に実行することを特徴とする。層移行はターゲット記録担体の第1層への記録の終了時にのみ実行する必要がある。従って、レコーダは第1層のサイズを第1層への記録開始前に調整するか、第1層のサイズが調整されない状態で記録を開始し記録が層移行点の位置に到達するまでに第1層の使用可能サイズを調整することができる。
【００１６】
第1層の使用可能サイズの調整を正しく実行できる最後の時点は、レコーダの処理速度、特にレコーダのプロセッサの処理速度と、プロセッサからのコマンドに応答する基本エンジンの遅延と、論理アドレス空間を物理アドレス空間に変換する内部テーブルの更新速度とに依存する。層移行の結果、第１層のための変換テーブルのみならず第２層のための変換テーブルも更新する必要がある。
【００１７】
ソース多層記録担体を複写する方法の更に他の実施例では、第１層の使用可能サイズを調整するステップは記録装置に転送されたビデオ情報の第１層への記録後に実行し、層移行位置は埋め込む代わりにコマンドにより決定することを特徴とする。
【発明を実施するための最良の形態】
【００１８】
図１は２層ＯＴＰ記録担体に記録されているビデオ情報を示す。
記録担体３は情報が記録された第１層１と第２層２を具える。情報はビデオ情報、例えばＭＰＥＧ２ビデオストリームである。ビデオ情報は単一層に収まらないために、第１層１がビデオ情報を含む第１セクション４を具え、第２層２もビデオ情報を含むセクション、第２セクション５、を具える。ビデオ情報の全部が第１層に収まる場合でも、記録担体の発行者は他の理由のためにビデオ情報を第１層上の第１セクションと第２層上の第２セクションに分けることができる。図示の記録担体はＯＴＰ型であるため、第１セクション４のサイズにより第２セクション５の最大サイズが決まる。これは、第１層１が第１層の始点から外側に向かって層移行点６まで読み出され、ここで読出しが第２層２へ移行し、セクション５の読出しが内側に向かって続くためである。従って、第２層２上の第２セクション５は決して第１層１条の第１セクション４よりきくすることはできない。
【００１９】
層の物理アドレスは第１層の最大サイズと第２層の最大サイズにまたがる。これに反し、ＯＴＰ型記録担体の論理アドレスは第１層１の第１セクション４の始点から外側に層移行点６まで延在する。論理アドレスは第２セクション５の始点７で連続し、第２セクション５の終点で終了する。
【００２０】
従って、第１層１の第３セクション８及び第２層２の第４セクション９は記録担体の物理アドレスに含まれるが、論理アドレスには含まれない。マスタリング時に、ビデオデータを処理し、ノンシームレスの層移行を実現できるセル境界に生起する適切なシーン、例えば低ビットレートを有するシーンをサーチすることによって層移行点６が決定される。追加の目的は、両層１，２のビデオ情報の量をバランスさせ、ほぼ等しいサイズの第１セクション４と第２セクション５を得るためである。これはビデオ情報で満たされない第２セクション５の残余領域を埋めるために必要とされるバディングの量を低減する。
【００２１】
図２は２層ＰＴＰ記録担体に記録されたビデオ情報を示す。
ＰＴＰ型記録担体は情報が記録された第１層２０と第２層２１を具える。情報はビデオ情報、例えばＭＰＥＧ２ビデオストリームである。ビデオ情報は単一層に収まらないために、第１層２０がビデオ情報を含む第１セクション２２を具え、第２層２１もビデオ情報を含むセクション、第２セクション２３、を具える。勿論、記録担体の発行者は他の理由のためにビデオ情報を第１層上の第１セクションと第２層上の第２セクションに分けることもできる。図示の記録担体はＰＴＰ型であるため、第１セクション２２のサイズは第２セクション２３のサイズに影響しない。これは、第１層２０が第１層の始点から外側へ層移行点２４まで読み出され、ここで読出しが第２層２１の始点２５へ移行し、再び第２セクション２３の読出しが外側へ第２セクション２３の終点２６まで続くためである。
【００２２】
層の物理アドレスは第１層２０の最大サイズと第２層２１の最大サイズにまたがる。これに反して、ＰＴＰ型記録担体の論理アドレスは第１層２０の第１セクション２２の始点から外側に層移行点２４まで延在する。論理アドレスは第２セクション２３の始点２５で連続し、第２セクション２３の終点２６まで続く。
【００２３】
従って、第１層２０の第３セクション２７及び第２層２１の第４セクション２８は記録担体の物理アドレスに含まれるが、論理アドレスには含まれない。マスタリング時に、ビデオデータを処理し、ノンシームレスの層移行を実現できるセル境界に生起する適切なシーン、例えば低ビットレートを有するシーンをサーチすることによって層移行点６が決定される。ＰＴＰ記録担体には両層２０，２１のビデオ情報の量をバランスさせるべき追加の目的は存在しない。従って、第１セクション２２と第２セクション２３を異なるサイズにすることができ、第２セクション２３を第１セクションより小さくする、等しくする、或いは大きくすることができる。
【００２４】
図３は、２層ＯＴＰ記録担体に複写されたビデオ情報を示す。
図１に示す２層ＯＴＰ記録担体を通常の方法で複写する際、ビデオ情報はソース記録担体の論理アドレス空間から読み出され、ターゲット記録担体に記録するために記録装置に供給される。ビデオ情報を有する単一ストリーム又はデータファイルが記録装置に供給されるため、記録装置は、オーサリング中と同様に、ビデオ情報中に層移行点に適した点を見つけ出す必要がある。図３は記録装置により決定された第１層３０の物理的終点に近い層移行点３３を示す。第１層３０はビデオ情報の第１部分を含む第１セクション３２を具える。層移行点３３は第１セクション３２の終点及び第１層３０の論理アドレス空間の終点をマークする。ビデオ情報と論理アドレス空間は第２層上で第２セクション３７の始点３６から第２セクション３７の終点まで連続する。記録装置は層移行点に対して他の規則、例えば各セクション３２，３７に含まれるビデオ情報の量をバランスさせてパディングを低減する規則を適用することもできること勿論である。図３に示す状態では、第３セクション３９のパディングが必要とされる。第４セクション３４と第５セクション３５は論理アドレスに含まれない。この複写方法の欠点は、ビデオ情報を処理する必要があるとともに、第２層３１の残存アドレス空間を埋めるために第２層の比較的大きなセクションをパディングする必要がある点にある。
【００２５】
図４は２層ＰＴＰ記録担体に複写されたビデオ情報を示す。
図３の説明と同様に、図４はソース多層記録担体をターゲット多層記録担体に複写する際に何の特別の手段も講じない場合に何が起こるかを示す。
【００２６】
図２に示す２層ＰＴＰ記録担体を複写する際、ビデオ情報はソース記録担体の論理アドレス空間から読み出され、ターゲット記録担体に記録するために記録装置に供給される。ビデオ情報を有する単一ストリーム又はデータファイルが記録装置に供給されるため、記録装置は、オーサリング中と同様に、ビデオ情報中に層移行点に適した点を見つけ出す必要がある。図４は記録装置により決定された第１層４０の物理的終点に近い層移行点４３を示す。第１層４０はビデオ情報の第１部分を含む第１セクション４２を具える。層移行点４３は第１セクション４２の終点と第１層４０の論理アドレス空間の終点をマークする。ビデオ情報と論理アドレス空間は第２層上で第２セクション４６の始点４５から第２セクション４６の終点４７まで連続する。記録装置は層移行点に対して他の規則、例えば各セクション４２，４６に含まれるビデオ情報の量をバランスさせる規則を適用することもできること勿論である。第３セクション４４と第４セクション４８は論理アドレスに含まれない。この複写方法の欠点は、ビデオ情報を処理する必要がある点にある。
【００２７】
図５ａは再生装置からのビデオ情報を記録装置へ転送するためのファイル構造を示す。
上記の必須のビデオ情報の処理を避けるために、図５ａに第１ファイル５０と第２ファイル５３を具えるフィル構造５０，５３を示す。第１ファイル５０はソース多層記録担体のビデオ情報を具える。再生装置はソース多層記録担体の第１層の第１セクションから読み出されたビデオ情報の第１セクション５１と第２層の第２セクションから読み出されたビデオ情報の第２セクション５２とを含む連続論理アドレス空間の単一ストリーム又はファイルを供給するのみであるため、第１ファイル５０に加えて第２ファイル５３を記録装置に供給する。第２ファイル５３は層移行点の論理アドレスを含む。このように、記録装置はもはやビデオ情報を処理する必要がなく、ソース記録担体の原層移行点の与えられた論理アドレスを用いてターゲット記録担体に対する適切な層移行点を決定することができる。
【００２８】
ソース記録担体に対するターゲット記録担体の物理アドレス空間の一定のオフセットは記録装置で容易に考慮することができる。別個の第２ファイル５３の利点は、この第２ファイル５３はビデオ情報を含む第１ファイル５０と独立に記録装置に転送できる点にある。
【００２９】
記録装置はビデオ情報の記録が層移行点まで進む前に層移行点の位置を知る必要があるため、第２ファイルは記録が層移行点に達する前の任意の時点に転送することができる。従って、再生装置は第２ファイル５３を第１ファイル５０の前か、第１ファイル５０の第１セクション５１と同時に転送することができる。第１ファイルの第２セクション５２の記録が開始する前に、記録装置は第２ファイル５３を受信している必要がある。ＤＶＤファイル構造では、層移行点の論理アドレスを含めるのに適したファイはＩＦＯファイルであり、このファイルはＶＯＢファイル内のビデオ情報に関連する他の情報を含むこともできる。
【００３０】
図５ｂは再生装置からのビデオ情報を記録装置へ転送するための他のファイル構造を示す。
他の可能性は、ビデオ情報の第１セクションを含むファイル５４の第１セクション５６のセクション５５に層移行点の論理アドレスを含めることである。図には層移行点の論理アドレスを含むセクション５５は第１セクション５６の開始点に位置する状態が示されているが、第１セクション５６の他の位置も適切である。ファイル５４の第２セクション５７はターゲット記録担体の第２層に記録する必要がある。従って、第２セクション５７に含まれるビデオ情報の記録が開始する前に、層移行点を決定する必要がある。
【００３１】
図１、図２、図３及び図４につき通常の複写方法の問題を説明したので、図６につき層記録装置に転送された層移行点の位置を用いてターゲット記録担体上の適切な移行を得ることができることを示す。
図６は他の２層ＯＴＰ記録担体を複写するために用意された２層ＯＴＰ記録担体を示す。
【００３２】
図６の２層記録担体は第１層６０と第２層６１を具える。第１層は図５ａのビデオ情報の第１セクション５１を記録するための第１セクション６２を具える。記録装置は、層移行点６３を図５ａのファイル５０のビデオ情報の第１セクション５１がターゲット記録担体の第１層６０の第１セクション６２に正確に収まるように位置させる。
【００３３】
続いて図５ａのファイル５０のビデオ情報の第２セクション５２をターゲット記録担体の第２層６１の第２セクション６７に記録することができる。これを達成するために、記録装置は、第１層６０の最大論理アドレス空間を図５ａの第２ファイル５３から読み出される層移行点又は記録装置によってビデオ情報自体から決定された層移行点の論理アドレスと一致するように減少させることにある。
【００３４】
適切な層移行点は、ソース記録担体上の層移行点の論理アドレスを図５ａの第２ファイルか５３から読み出す代わりに、ビデオ情報を処理して所定の条件を満足するビデオ情報中の位置をサーチすることによってビデオ情報自体から得ることもでき、得にノンシームレス移行を使用できる場合には、セル境界にあってビットレート及びシーン内容に関する基準を満足するシーンを含むビデオ情報中の位置をサーチすることによって得ることができる点に注意されたい。
層移行点に適したビデオ情報の位置は、例えば低ビットレート及びダークシーン又は動きや高速移動物体のないシーンである。
【００３５】
従って、記録装置が図５ａの第１ファイル５０からのビデオ情報の記録を開始すると、層移行が自動的に実行される。その理由は、記録装置は、ビデオ情報の記録がソース記録担体上に位置した層移行点に対応するビデオ情報中の点まで進んだとき、第１セクション６２の終点に正確に対応する第１層６０の調整された最大論理アドレス空間に到達するためである。記録装置は、第１層の最大論理アドレスに到達したとき自動層移行を実行するのに必要な全ての手段を既に含んでいる。第１層上の最大論理アドレスを調整することにより、記録装置内の自動層移行実行手段が記録中の最大論理アドレスへの到達によりトリガされ、層移行を自動的に実行する。第１層上の最大論理アドレスを記録担体により支持される最大論理アドレスのままにすると、自動層移行はビデオ情報中の潜在的に不適切な位置で行なわれる。第１層の最大論理アドレスをソース記録担体の層移行点の論理アドレスと一致するように調整すると、ターゲット記録担体における層移行点は、ターゲット記録担体のビデオ情報中に、記録担体のオーサリング中に慎重に選択された移行点と同一の適切な位置に位置するものとなる。
【００３６】
第１層６０の最大アドレス空間に到達すると、記録装置は自動的に層移行を実行し、始点６６から第２層６１の第２セクション６７に、図５ａの第１ファイル５０の第２セクション５２の残りのビデオ情報の記録を続ける。第１層６０の第３セクション６４は第１層の調整された最大アドレス空間を超えて位置し記録装置が第１層の最大アドレス空間の調整の結果アクセスできないために、第３セクション６４及び第４セクション６５への記録は行なわれない。
しかし、これは、第３セクション６４はもはやビデオ情報の記録に必要ないために欠点とはならない。
【００３７】
ＯＴＰ型記録担体では記録装置は層移行後に内側に向かって記録を開始するため、第４セクション６５は第３セクション６４と同様に最大アドレス空間の調整後に記録装置にアクセス不能になる。
【００３８】
図７は他の２層ＰＴＰ記録担体を複写するために用意された２層ＰＴＰ記録担体を示す。
図７の２層記録担体は第１層７０と第２層７１を具える。第１層７０は図５ａのビデオ情報の第１セクション５１を記録するための第１セクション７２を具える。記録装置は、層移行点７３を図５ａのファイル５０のビデオ情報の第１セクション５１がターゲット記録担体の第１層７０の第１セクション７２に正確に収まるように位置させる。
【００３９】
続いて図５ａのファイル５０のビデオ情報の第２セクション５２をターゲット記録担体の第２層７１の第２セクション７６に記録することができる。これを達成するために、記録装置は、第１層７０の最大アドレス空間を図５ａの第２ファイル５３から読み出される層移行点の論理アドレスと一致するように減少させる。
【００４０】
適切な層移行点は、ビデオ情報を処理して所定の条件を満足するビデオ情報中の位置をサーチすることによってビデオ情報自体から得ることもでき、得にノンシームレス移行を使用できる場合には、セル境界であってビットレート及びシーン内容に関する基準を満足するシーンを含むビデオ情報中の位置をサーチすることによって得ることができる点に注意されたい。層移行点に適したビデオ情報の位置は、例えば低ビットレート及びダークシーン又はアクションや速い動きのないシーンである。
【００４１】
従って、記録装置が図５ａの第１ファイル５０からのビデオ情報の記録を開始すると、層移行が自動的に実行される。その理由は、記録装置は、ビデオ情報の記録がソース記録担体上に位置した層移行点に対応するビデオ情報内の点まで進んだとき、第１セクション７２の終点に対応する第１層７０の調整された最大アドレス空間に到達するためである。
【００４２】
第１層７０の最大アドレス空間に到達すると、記録装置は自動的に層移行を実行し、第２層７１の第２セクション７６に、図５ａの第１ファイル５０の第２セクション５２からの残りのビデオ情報の記録を続ける。第１層７０の第３セクション７４は第１層の調整された最大アドレス空間を超えて位置し記録装置が最大アドレス空間の調整の結果アクセスできないために、第３セクション７４及び第４セクション７８への記録は行なわれない。
【００４３】
ＰＴＰ型記録担体では記録装置は層移行後に第２セクション７６の始点７５から外側に向かって記録を開始するため、第４セクション７８は第１層７０の第３セクション７４と異なり、最大アドレス空間の調整後も記録装置にアクセス可能なままである。第２セクション７６の終点７７はビデオ情報の終点で決まる。
【００４４】
図６及び図７の説明には図５ａのファイル構造を使用したが、図５ｂのファイル構造も同様に使用できる。
【００４５】
図８は再生装置と記録装置を具えた２層記録担体の複写システムを示す。
ソース２層記録担体８０はターゲット２層記録担体８１へ複写すべきものである。再生装置８２は、記録担体８０の読み出し及び読出し情報のデコーディングを実行する基本エンジン８４によりソース記録担体上の情報にアクセスできる。プロセッサ８８は基本エンジン８４に結合され、基本エンジン８４へ命令を送るとともに基本エンジン８４により読み出された情報を受信することができる。基本エンジン８４を使用することによって、プロセッサは、最初にソース記録担体８０の第１層からビデオ情報を読み出し、層移行点の論理アドレスを読み出し、次いでソース記録担体８０の第２層から残りのビデオ情報を読み出すことによりソース記録担体からビデオ情報と層移行点の論理アドレスとを読み出すことができる。
【００４６】
プロセッサ８８は更にユーザインターフェース８６及び出力端９０に結合される。ユーザインターフェース８６によってユーザは再生装置で開始される複写処理の開始を命令することができ、また再生装置８２により記録装置８３に供給されるファイル又はデータストリームのフォーマットを適合させることができる。例えば図５ａ及び図５ｂに示す２つのファイルフォーマット間の選択を可能にして、異なる記録装置が異なるファイルフォーマットを必要とする場合の互換性を保障する。ユーザは、記録装置又はファイルへの層移行点の論理アドレスの出力を抑止する命令を再生装置に出すこともできる。
【００４７】
ビデオ情報と層移行点の論理アドレスを含むファイル又はデータストリームがプロセッサ８８によって出力端９０から記録装置８３の入力端９１に供給される。記録装置８３はビデオ情報と層移行点の論理アドレスとを含むファイル又はデータストリームを受信すると、受信したファイル又はデータストリームをプロセッサ８９に供給する。
【００４８】
プロセッサ８９はユーザインターフェース８７に結合される。ユーザインターフェース８７によってユーザは複写処理の開始を記録装置に命令する、或いは、再生装置８２から記録装置８３へのファイルの転送の開始を記録装置に命令することができる。更に、ユーザインターフェース８７によって記録装置８３により再生装置８２からアクセスしたファイル又はデータストリームのフォーマットを適合させることができる。例えば図５ａ及び図５ｂに示す２つのファイルフォーマット間の選択を可能にして、異なる再生装置が異なるファイルフォーマットを与える場合の互換性を保障する。ユーザインターフェース８７は、再生装置により供給された層移行点の論理アドレスを無視し、その代わりにビデオ情報を処理して層移行点に適した位置を決定することをレコーダに命令するのに使用することもできる。
【００４９】
複写処理のために、再生装置８２は次のステップを具える。
・プロセッサ８８の制御の下で基本エンジン８４を用いて光学ピックアップをソース多層記録担体の第１層に集束させてソース多層記録担体の第１層からビデオ情報を読み出すステップ：
【００５０】
・プロセッサ８８の制御の下で基本エンジン８４を用いて光学ピックアップをソース多層記録担体の第２層に集束させてソース多層記録担体の第２層からビデオ情報を読み出すステップ：
【００５１】
・第１層及び第２層から読み出された全てのビデオ情報を記録装置に転送するステップ：
この転送は、ユーザが再生装置８２のユーザインターフェース８６によって又は記録装置８３のユーザインターフェース８７によって開始させることができる。また、再生装置８２及び／又は記録装置８３が入力／出力インターフェース９０，９１により制御されるコンピュータである場合、例えばパーソナルコンピュータに使用されているＩＤＥインターフェース制御の再生装置及び記録装置の場合には、この転送は再生装置８２及び／又は記録装置８３の入力／出力インターフェース９０，９１により開始させることもできる。
【００５２】
・層移行点の論理アドレスを決定するステップ：
このとき、記録装置は層移行点の論理アドレスを決定する必要がある。
これは、再生装置からソース記録担体上の層移行点の論理アドレスを得ることにより達成することができ、例えばこの論理アドレスを再生装置により供給されるファイルから読み出すことにより、又はビデオ情報を処理し層移行に適切な位置の論理アドレスを決定することにより達成することができる。
【００５３】
・転送されてきた層移行位置に基づいてターゲット多層記録担体の第１層の最大使用可能サイズを調整するステップ：
第１層の最大論理アドレス空間を調整することによって、図６及び図７に示すように第１層の最大論理アドレスにおいて層移行が実行され、論理アドレスが第２層に連続するため、物理アドレス空間から論理アドレス空間への変換が達成される。
【００５４】
・記録装置に転送されたビデオ情報をターゲット多層記録担体に記録するステップ：
記録装置８３は、受信ビデオ情報をプロセッサ８９で処理してターゲット多層記録担体８１に記録する。プロセッサ８９はビデオ情報を、アドレス情報のような他の所要の情報と一緒に、記録標準規格で決められた適切なフォームで基本エンジン８５に出力し、基本エンジン８５がビデオ情報をターゲット多層記録担体８１に記録するのに適した信号に変換する。
【００５５】
層移行を実現するために、記録装置８３のプロセッサ８９は、ターゲット多層記録担体８１の第１層の記録前又はアドレス記録中に、ターゲット記録担体８１の最大アドレス空間を調整することができる。第１層の最大アドレス空間を調整すると、記録装置が調整された最大論理アドレス空間の終点論理アドレスに到達するとき自動的に層移行が実行される。
【００５６】
層移行点の論理アドレスをビデオ情報の処理により決定しない場合には、再生装置は次の２つの追加のステップを実行する必要がある。
・プロセッサ８８の制御の下で基本エンジン８４を用いてソース多層記録担体から層移行点を読み出すステップ：
層移行点の論理アドレスはいくつかの方法で決定することができる。再生装置が記録担体のリードイン内のエントリから層移行位置の論理アドレスを読み出すか、ソース記録担体からビデオ情報を読み出しながら層移行点の論理アドレスを取得することにより層ジャンプの位置を決定することができる。複写のために、全てのビデオ情報を記録担体から読み出す必要があるため、２層ソース記録担体の場合には、再生は自動的に層移行に出会う。
【００５７】
・層移行点を記録装置に転送するステップ：
層移行点の論理アドレスの転送はユーザが再生装置８２のユーザインターフェース８６によって又は記録装置８３のユーザインターフェース８７によって開始することができる。また、再生装置８２及び／又は記録装置８３が入力／出力インターフェース９０，９１により制御されるコンピュータである場合、例えばパーソナルコンピュータに試用されているＩＤＥインターフェース制御の再生装置及び記録装置の場合には、この転送は再生装置８２及び／又は記録装置８３の入力／出力インターフェース９０，９１により開始させることもできる。層移行点の論理アドレスの転送はビデオ情報の転送と別個に又は一緒に転送することができること明らかである。
【００５８】
層移行点の論理アドレスがビデオ情報の処理により決定される場合には、再生装置は上記の２つの追加のステップの代わりに次の追加のステップ：
・ビデオ情報を処理して層移行に対する要件を満足する層移行点の論理アドレスを決定するステップ：
を実行する必要がある。
【図面の簡単な説明】
【００５９】
【図１】２層ＯＴＰ記録担体に記録されたビデオ情報を示す図である。
【図２】２層ＰＴＰ記録担体に記録されたビデオ情報を示す図である。
【図３】２層ＯＴＰ記録担体に複写されたビデオ情報を示す図である。
【図４】２層ＰＴＰ記録担体に複写されたビデオ情報を示す図である。
【図５】図５ａは再生装置からのビデオ情報を記録装置へ転送するためのファイル構造を示す図、図５ｂは再生装置からのビデオ情報を記録装置へ転送するための他のファイル構造を示す図、
【図６】他の２層ＯＴＰ記録担体を複写するために用意された２層ＯＴＰ記録担体を示す図である。
【図７】他の２層ＰＴＰ記録担体を複写するために用意された２層ＰＴＰ記録担体を示す図である。
【図８】再生装置と記録装置を具え２層記録担体を複写するシステムを示す図である。
【図１】
2007507824.tif 000003
【図２】
2007507824.tif 000004
【図３】
2007507824.tif 000005
【図４】
2007507824.tif 000006
【図５ａ】
2007507824.tif 000007
【図５ｂ】
2007507824.tif 000008
【図６】
2007507824.tif 000009
【図７】
2007507824.tif 000010
【図８】
2007507824.tif 000011
【国際調査報告】
2007507824.tif 000012
2007507824.tif 000013
2007507824.tif 000014